(57)【要約】【課題】機器の電源オフ中のクロックを停止させることにより更に低消費電力化を図る装置を提供する。【解決手段】商用電源より供給される電力をオンオフするためのリレースイッチと、前記リレースイッチの出力から給電され待機用電力を出力する待機用電源と、前記待機用電力を用いて前記リレースイッチのオンオフを制御するリレー駆動回路と、前記待機用電力を用いて前記リレー駆動回路とメイン電源を制御するマイコンと、前記マイコンに通常モード動作を行わせるためのクロックを発振する発振器と、前記待機用電力を用いて外部のリモコンからの受光信号を入力し整形してかく整形された受光信号を前記マイコンへ伝送する赤外線受光部とを備え、前記整形された受光信号に基づいて前記マイコンは前記発信器の発振を起動するようまたは前記リレースイッチをオンとするよう制御することを特徴とするリモコン信号受信装置。【選択図】  図１
2011035451.tif 000002
【特許請求の範囲】
【請求項１】
商用電源より供給される電力をオンオフするためのリレースイッチと、
前記リレースイッチの出力から給電され整流された電力を出力する整流回路と、
前記整流回路の出力を用いて主電力を電気機器内へ供給するメイン電源と、
前記整流回路または前記リレースイッチの出力から給電され待機用電力を出力する待機用電源と、
前記待機用電力を用いて前記リレースイッチのオンオフを制御するリレー駆動回路と、
前記待機用電力を用いて前記リレー駆動回路と前記メイン電源を制御するマイコンと、
前記マイコンに通常モード動作を行わせるためのクロックを発振する発振器と、
前記待機用電力を用いて外部のリモコンからの受光信号を入力し整形してこの整形された受光信号を前記マイコンへ伝送する赤外線受光部とを備え、
前記整形された受光信号に基づいて前記マイコンは前記リレースイッチがオフのとき前記発信器の発振を起動するようまたは前記リレースイッチをオンとするよう制御することを特徴とするリモコン信号受信装置。
【請求項２】
前記マイコンは、前記マイコンがスリープモードであるときに前記整形された受光信号においてリーダコードの立ち上がりを検出すると前記発信器の発振を起動しこの発振の結果通常モードとなりリーダコードの終了後リーダコードの区間計測を実施し、スリープモードであるときに前記立ち上がりを検出しない場合にはスリープモードを維持することを特徴とする請求項１に記載のリモコン信号受信装置。
【請求項３】
前記マイコンは、前記リーダコードの区間計測結果に基づいて前記リーダコードが適正であると判定した場合はカスタムコードとデータコードをデコードし、前記リーダコードが適正でないと判定した場合はスリープモードに戻ることを特徴とする請求項２に記載のリモコン信号受信装置。
【請求項４】
前記マイコンは、前記デコード結果に基づいて前記リモコンが適正であると判定した場合は前記リレースイッチをオンとするよう前記リレー駆動回路を制御し、前記リモコンが適正でないと判定した場合はスリープモードに戻ることを特徴とする請求項３に記載のリモコン信号受信装置。
【発明の詳細な説明】
【技術分野】
【０００１】
本発明は、リモコン信号受信装置の省電力機能に関する。
【背景技術】
【０００２】
電気機器（電子機器）においてはこれまで各種の省電力が図られてきている。例えば特許文献１に記載されている技術によれば、機器の電源オフ時、マイコンは一部の機能が停止しクロックが遅いスリープモード及びサブクロック動作モードが繰り返される低消費電力モードで動作し、この動作モードは、リモコンやキーによる指示、タイマ予約動作によるマイコンに対する割り込み処理によって通常動作に戻ることができるものである。しかし電源オフ時もクロックが動作しているため低消費電力化が不十分であるという問題があった。
【先行技術文献】
【特許文献】
【０００３】
【特許文献１】特開平９−１９１５６９号公報
【発明の概要】
【発明が解決しようとする課題】
【０００４】
本発明は、機器の電源オフ中の赤外線受光部を制御するマイコンのクロックを停止させることにより更に低消費電力化を図る装置を提供することを目的とする。
【課題を解決するための手段】
【０００５】
上記課題を解決するために、本発明の請求項１に記載のリモコン信号受信装置は、商用電源より供給される電力をオンオフするためのリレースイッチと、前記リレースイッチの出力から給電され整流された電力を出力する整流回路と、前記整流回路の出力を用いて主電力を電気機器内へ供給するメイン電源と、前記整流回路または前記リレースイッチの出力から給電され待機用電力を出力する待機用電源と、前記待機用電力を用いて前記リレースイッチのオンオフを制御するリレー駆動回路と、前記待機用電力を用いて前記リレー駆動回路と前記メイン電源を制御するマイコンと、前記マイコンに通常モード動作を行わせるためのクロックを発振する発振器と、前記待機用電力を用いて外部のリモコンからの受光信号を入力し整形して且つ整形された受光信号を前記マイコンへ伝送する赤外線受光部とを備え、前記整形された受光信号に基づいて前記マイコンは前記発信器の発振を起動するようまたは前記リレースイッチをオンとするよう制御することを特徴とする。
【発明の効果】
【０００６】
本発明によれば、機器の電源オフ中の赤外線受光部を制御するマイコンのクロックを停止させることにより更に低消費電力化を図ることができる。
【図面の簡単な説明】
【０００７】
【図１】本発明の実施形態としてのリモコン信号受信装置１の構成例を示す図。
【図２】同実施形態のリモコン信号受信装置１に関るリモコン１０を示す図。
【図３】同実施形態に用いられるリモコンの送信部とテレビジョン装置の受信部の説明図。
【図４】同実施形態の赤外線リモコンにおける信号波形のフォーマット。
【図５】同実施形態に用いられるリモコンコードの説明図。
【図６】同実施形態のリモコンによるパワーオン時のフローチャート。
【図７】待機用電源回路の一実施例を示した回路図。
【図８】待機用電源回路の他の実施例を示した回路図。
【発明を実施するための形態】
【０００８】
本発明による実施形態を図１乃至図８を参照して説明する。
図１は、本発明の実施形態としてのリモコン信号受信装置１の構成例を示している。
このリモコン信号受信装置１は、電源プラグ２、リレースイッチ３、整流回路４、テレビジョン受像機等の機器のメイン電源５、リレー駆動回路６、待機用電源７、マイコン（リモコン信号判別用）８、発振器９および赤外線受光部１１とを備え、外部のリモコン１０から操作されるよう構成されている。以下、リモコン信号受信装置１をテレビジョン受像機に用いた例を援用して説明する。
【０００９】
また図２は、図１のリモコン信号受信装置１のリモコン１０を示す図である。簡単に一般のテレビジョン受像機等に共通なキー（ボタン）のみが載せられた構成を例示してある。
【００１０】
リモコン１０のキーがユーザによって押されるとリモコン１０内部の例えば図示せぬカーボン接点のスイッチが押され電池給電による増幅、コード化、赤外発光ダイオードによるコードの赤外線送信がテレビジョン受像機の受光部へ向けておこなわれる。対応して、受光部内の後述のフォトダイオードで受信した赤外線を電気信号へ変え増幅して搬送波を除きコードを得る。
【００１１】
このコードは、リモコン１０のキーに対応したコードである。例えば３Byteのコードとなっており、１Byte目はメーカ、２Byte目は商品、３Byte目はキーに対応するデータとする。「８」と表示されたキーは８ｃｈ（チャンネル）を選局するためのキーであり、キーの押下げデータは例えば１６進表示で０８Ｈである。
【００１２】
次に、図３を用いてリモコン１０および赤外線受光部１１間の通信を行う構成について説明する。
図３は、実施形態に用いられるリモコンの送信部とテレビジョン装置の受信部の説明図である。図３（ａ）はリモコン１０の赤外線送信部である。図３（ｂ）はリモコン信号受信装置１の赤外線受光部１１である。図３（ａ）において、赤外発光器は、赤外発光ダイオードとそのドライバから構成され、図示せぬマイコンのドライブ信号により駆動される。この赤外発光器は、図３（ａ）に示すように、直流電源ラインＶｃｃと基準電位点間に、ドライブ用トランジスタＱのコレクタ・エミッタと赤外発光ダイオードＬＤと電流制限用抵抗Ｒとを直列に接続して構成され、トランジスタＱのベースにはマイコンからのドライブ信号が供給されて発光ダイオードＬＤを駆動することができるようになっている。
【００１３】
また図３（ｂ）において、赤外線受光部１１は、フォトセンサと増幅器等からなる赤外線リモコン受光器であり、２値のパルス波形を出力する。この赤外線リモコン受光器は、図３（ｂ）に示すように、フォトセンサとしてフォトダイオードＰＤにより、上記発光ダイオードＬＤからの赤外線パルスを受光し、まず電流信号を発生する。
【００１４】
次にこの電流信号をオペアンプ等のＩ−Ｖ変換器で電圧信号に変換し、プリアンプで増幅後、可変アンプと検波器とピーク値検出器とからなるＡＧＣループにより検波し、さらに波形整形器で波形整形することによりパルス波形を生成する。
【００１５】
図４は、赤外線リモコンにおける上述の２値のパルス波形である信号波形のフォーマットを示す図である。横軸は時間の遷移を縦軸は例えば電圧レベルを表している。リーダコード（Ｈ区間が9msec  Ｌ区間が4.5msec）に続きカスタムコード及びデータコード等がある構成となっている。
【００１６】
図５は、実施形態に用いられるリモコンコードの説明図である。
リモートコントロール信号のコードは既に使用されているリモコンコードと共通のプロトコル（伝送規格）である。家庭用リモコンコードのプロトコルは国内では統一されており、図５（ａ）に示すように機器の種類と製造メーカを示すカスタムコードが１６ビット、制御の種類（内容）を示す制御コードが８ビット、これらが前後に継がった形でパルス周期変調されたものである。
【００１７】
図５（ｂ）は、16進数の１桁の数値と制御コード（以下、リモコンコード）との対応関係を示すテーブルを示している。上述のデータコードとして例えば、16進数の１桁の数値０〜９が、リモコン１０のリモコンボタンの０〜９にそれぞれ対応している。なおデータコードの一種として存在する開始制御コード、終了制御コードとしては、例えば、図５（ｃ）に示すように、リモコンコード“0x2b”と“0x2c”が用いられる。
【００１８】
図６は、リモコンによるパワーオン時のフローチャートである。
図１に示される電源オフ状態では、電源プラグ２から供給される電源をリレースイッチ３により遮断している。リモコン１０から受信する信号が後述のように適正な信号であると判断したときにリレースイッチ３をオンに切替え、電力を整流回路４に供給する。
【００１９】
リモコン信号受信装置１において、電源オフ状態ではマイコン８はクロックを停止したスリープモードとなっており（ステップＳ７０１）、リモコン１０から前述の図４に示される赤外線信号を赤外線受光部１１で受光し（ステップＳ７０２）、マイコン８がリーダコードの立ち上がりエッジを検出することにより（ステップＳ７０３のＹｅｓ）、発振器９を駆動する（ステップＳ７０４）。この発振器９のクロックによりリモコン信号のリーダコードのＨ区間及びＬ区間を計測し（ステップＳ７０５）、リーダコードが適正（Ｈ区間が9msec  Ｌ区間が4.5msec）である場合は（ステップＳ７０６のＹｅｓ）マイコンはリモコン信号を受信したものと判別する。この判別に引き続きカスタムコード及びデータコードをデコードするが（ステップＳ７０７）、適正ではなかった場合はリモコン信号ではないものと判別し（ステップＳ７０６のＮｏ）、再びクロックを停止しかつマイコン８をスリープモードにして、電源オフ状態を継続する（ステップＳ７０１）。なお上記ステップＳ７０３でＮｏと判定された場合も再びクロックを停止しかつマイコン８をスリープモードにして、電源オフ状態を継続する（ステップＳ７０１）。
【００２０】
なお、ステップＳ７０６ではリーダコードの立ち上がりエッジを検出してからクロックが安定動作するまでの時間は通常1msec程度であるため、リーダコードのＨ区間を計測するに当たっては、予めこの1msecを考慮して計測を行う。
【００２１】
次にステップＳ７０７でデコードした結果そのデータが適正なリモコンコードと判断したとき（ステップＳ７０８のＹｅｓ）、マイコン８はリレー駆動回路６を制御し、リレースイッチ３を整流回路４に電力を供給する通常動作モードに切替えるが、リモコンコードでない場合は（ステップＳ７０８のＮｏ）リレースイッチ３を切替えることなく電源オフ状態を継続し、且つ再びクロックを停止及びマイコン８をスリープモードにさせることを特徴とする（ステップＳ７０１）。
【００２２】
尚、待機用電源７はリレースイッチ３が導通している間に充電され、リレースイッチ３が遮断されている状態ではマイコン８、赤外線受光部１１及びリレー駆動回路６を動作させるための電源となる。待機用電源７が放電されたときの対処法としては、例えば図示せぬ本体スイッチをユーザがマニュアルで押下げするとリレースイッチ３がＯＮとなるように構成しておけばよい。
【００２３】
待機用電源７は簡単には例えば図７のような待機用電源回路で構成されている。図７の例ではトランス７１、整流ダイオード７２及び平滑コンデンサ７３を有している。本実施例の動作について説明すると、整流回路４にリレースイッチ３のオン時にＡＣ電源が供給されると、まずこの待機用電源回路が動作してリレー駆動回路６、マイコン８、赤外線受光部１１に所定の直流電源を供給する。
【００２４】
待機用電源７の代わりに、図８に示すような待機用電源回路７ａを用いても良い。待機用電源７が整流回路４から給電されていたのに対し、待機用電源回路７ａは全体構成図は省略するが、整流回路４の前段のリレースイッチ３の出力側ＡＣ電源を用いる。
【００２５】
待機用電源回路７ａは、ＡＣ電源の電圧の大きさを変換して待機用回路に導く待機トランス１０１と、待機トランス１０１の２次側に設けた全波整流回路１０２−１と平滑コンデンサ１０２−２からなる第２の整流回路１０２と、この整流平滑された直流電圧をさらに安定化するための安定化電源回路１０３とで構成されている。
【００２６】
以上実施形態の概要として、電源ラインにリレースイッチを備え、リモコンによる電源オフ時にリレースイッチをオフし、且つマイコンのクロックを停止させるモコン信号受信装置において、リモコンによる電源オン時、リモコン信号のリーダコードの立ち上がりエッジによりマイコンのクロックを起動させ、そのクロックによりリーダコードのＨ／Ｌ区間を計測し、適正な値（時間）と判断した時、更にカスタムコードとデータコードをデコードし、リモコンコードと判断したときに電源のリレースイッチをオンする。
【００２７】
上記のように本実施形態では、リレースイッチオフ中マイコンのクロックを停止させるシステムにより、先行技術となっているクロックが遅いスリープモード及びサブクロック動作モードを繰り返すシステムよりも更に低消費電力化を図ることができた。
【００２８】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００２９】
１  リモコン信号受信装置
２  電源プラグ
３  リレースイッチ
４  整流回路
５  メイン電源
６  リレー駆動回路
７  待機用電源
８  マイコン（リモコン信号判別）
９  発振器
１０  リモコン
１１  赤外線受光部
【図１】
2011035451.tif 000003
【図２】
2011035451.tif 000004
【図３】
2011035451.tif 000005
【図４】
2011035451.tif 000006
【図５】
2011035451.tif 000007
【図６】
2011035451.tif 000008
【図７】
2011035451.tif 000009
【図８】
2011035451.tif 000010